(57)【要約】【課題】本発明は吸収部材とカバーパンツ及びその組み合わせによる着用方法を提供する。【解決手段】本発明の吸収部材とカバーパンツ及びその組み合わせによる着用方法は、吸収部材の前ピックアップ部と後ろピックアップ部に開孔が設けられ、カバーパンツの相互に対応する面ファスナーのオスメスを開孔内で接触させて固定し、開孔外で貼着して滑り止めとし、その隔離型吸収部材の破断線開口は選択的に破断し、陰嚢後方根部を緊密に囲み、生殖器を隔離することができ、導尿用カテーテル、コンドームカテーテルの取り付けと配置に便利であり、その遮蔽型吸収部材の破断線開口は破断した後コンドームカテーテルの取り付け、通気性確保に便利であり、該カバーパンツの後ろ片体は２つの固定ベルト部と中間オープン部を備え、該開口に合わせて固定するために用いられ、前片体は位置決め固定後取り外さずにおき、開閉して導尿用カテーテルの固定、コンドームカテーテルの交換、左右側部の固定距離調整を便利に行うことができる。【選択図】図１Ａ
2020168347.tif 000002
【特許請求の範囲】
【請求項１】
カバーパンツと組み合わせて着装される吸収部材であって該吸収部材が、液体透過最上層と、液体不透過最下層と、該液体透過最上層と該液体不透過最下層の間に配置された吸収コアと、該液体透過最上層の左右に縦方向に延伸して設けられた漏れ防止ギャザー部を含み、そのうち、該吸収コアが少なくとも臀部後ろ領域と股下領域を含み、該吸収コア前方の薄膜が延伸されて前ピックアップ部が形成され、該吸収部材の後ろウエスト部の薄膜が延伸されて後ろピックアップ部が形成され、該後ろピックアップ部の左右上方に面ファスナーのオスメスを接触させて係止するに足る少なくとも１つの開孔がそれぞれ設けられ、該前ピックアップ部の左右上方に面ファスナーのオスメスを接触させて係止するに足る少なくとも１つの開孔がそれぞれ設けられたことを特徴とする、吸収部材。
【請求項２】
前記吸収コアが、臀部後ろ領域と股下領域を含み、該吸収コアの前端に男性着装者の生殖器左右にそれぞれ延伸される２つの凸部が設けられ、かつ該２つの凸部の間にある凹部の陰嚢根部に対応する位置に、腹部方向に向かって開放された破断線開口が設けられ、隔離型吸収部材が形成されたことを特徴とする、請求項１に記載の吸収部材。
【請求項３】
前記該開口が縦方向の直線形状であることを特徴とする、請求項２に記載の吸収部材。
【請求項４】
前記開口がＶ字形の線の形状であり、その内角が２０°未満であることを特徴とする、請求項２に記載の吸収部材。
【請求項５】
前記吸収コアがさらに該股下領域の前端から着装者の腹部 ±２ｃｍの高さまで延伸された前腹領域を含み、該前腹領域の薄膜に該前腹領域の吸収コア外囲に沿った破断線開口が設けられ、遮蔽型吸収部材が形成されることを特徴とする、請求項１に記載の吸収部材。
【請求項６】
前記開孔を俯瞰した形状が、ハート型または星型、或いは幾何図形中の円形、楕円形、卵型、矩形、三角形、台形、五角形、六角形のいずれかであることを特徴とする、請求項１乃至５のいずれかに記載の吸収部材。
【請求項７】
前記破断線が断続的な貫通孔または断続的な線状の切り込み或いは熱溶融圧痕であることを特徴とする、請求項２乃至５のいずれかに記載の吸収部材。
【請求項８】
カバーパンツと組み合わせて着装される吸収部材であって、該吸収部材が、液体透過最上層と、液体不透過最下層と、該液体透過最上層と該液体不透過最下層の間に配置された吸収コアと、該液体透過最上層の左右に縦方向に延伸して設けられた漏れ防止ギャザー部を含み、そのうち、該吸収コアが、臀部後ろ領域と、股下領域を含み、該吸収コア前方の薄膜を延伸して前ピックアップ部が形成され、該吸収コアの前端に男性着装者の生殖器左右にそれぞれ延伸される２つの凸部が設けられ、かつ２つの凸部の間にある凹部の陰嚢根部に対応する位置に、腹部方向に向かって開放された破断線開口が設けられ、隔離型吸収部材が形成されたことを特徴とする、吸収部材。
【請求項９】
前記最下層にさらに長い繊維の、またはふんわりとした不織布表層が結合されたことを特徴とする、請求項８に記載の吸収部材。
【請求項１０】
前記最下層の背面に接着剤が設けられ、該カバーパンツの後ろ片体の内側表面に固定するために用いられることを特徴とする、請求項８に記載の吸収部材。
【請求項１１】
前記該開口が縦方向の直線形状であることを特徴とする、請求項８乃至１０のいずれかに記載の吸収部材。
【請求項１２】
前記開口がＶ字形の線の形状であり、その内角が２０°未満であることを特徴とする、請求項８乃至１０のいずれかに記載の吸収部材。
【請求項１３】
前記開口が概ねカプセル型または楕円形を呈し、かつ上端に縦方向の直線が連接され、該カプセル型または楕円形の横方向の短軸長さが１ｃｍ未満であり、縦方向の長軸長さが２.５〜８ｃｍであることを特徴とする、請求項８乃至１０のいずれかに記載の吸収部材。
【請求項１４】
前記該開口が逆Ａ字形の線の形状であることを特徴とする、請求項８乃至１０のいずれかに記載の吸収部材。
【請求項１５】
前記開口が中心点で相互に交わる複数の直線で、かつ上に延伸された縦方向の直線を含む形状であり、該複数の直線を破断して折り返した後、概ね楕円形の開口が形成され、該楕円形の横方向の短軸長さが１.５〜３ｃｍ、縦方向の長軸長さが６ｃｍ±２ｃｍであることを特徴とする、請求項８乃至１０のいずれかに記載の吸収部材。
【請求項１６】
前記破断線が断続的な貫通孔または断続的な線状の切り込み或いは熱溶融圧痕であることを特徴とする、請求項８乃至１０のいずれかに記載の吸収部材。
【請求項１７】
吸収部材と組み合わせて着装されるカバーパンツであって、該カバーパンツが後ろ片体と前片体を含み、
該後ろ片体が、後ろウエスト部と、後ろ臀部と、該後ろ臀部の下端から延伸された股下部と、後ろウエスト部左右側部近くに設置された弾性伸縮部と、該後ろウエスト部の左右側辺に接続され、かつそれぞれ延伸部を備えた後ろウイング部と、左右１つずつ該股下部の前端に接続され、該延伸部にそれぞれ対応する２つの固定ベルト部と、２つの固定ベルト部により共同で定義される中間オープン部と、該後ろ臀部及び股下部の左右辺縁に設けられた腿周りギャザー辺を含み、
該前片体が、前ウエスト部と、前腹部と、男性生殖器を遮蔽するに足る下延部と、前ウエスト部の左右に設けられ、該後ろウイング部に対応する前ウイング部を含み、
そのうち、該延伸部と該固定ベルト部がそれぞれ第１ファスナー部材により着装者の左右腹部側面で取り外し可能に相互に係止され、該後ろウイング部と該前ウイング部がそれぞれ第２ファスナー部材により取り外し可能に相互に係止され、該固定ベルト部と前片体がそれぞれ第３ファスナー部材により着装者の左右腹部側面で取り外し可能に相互に係止され、これにより該後ろ片体と該前片体を結合して該カバーパンツが構成され、該オープン部に該吸収部材の開口を合わせて男性生殖器を露出させることができることを特徴とする、カバーパンツ。
【請求項１８】
さらに１組の位置決め部材を含み、該位置決め部材がそのうち１つの該後ろウイング部の外側表面に上下に排列して設置されたボタンと、対応する該前ウイング部に左右に排列して設置されたボタンホールであることを特徴とする、請求項１７に記載のカバーパンツ。
【請求項１９】
さらに１組の位置決め部材を含み、該位置決め部材がそのうち１つの該前ウイング片の内側表面に設置されたフックと、対応する該後ろウイング片の外側表面に上下に排列して設置された複数のループ列であり、該複数のループ列が左右に排列された複数のループを含むことを特徴とする、請求項１７に記載のカバーパンツ。
【請求項２０】
さらに１組の位置決め部材を含み、該位置決め部材がそのうち１つの該後ろウイング片の外側表面に上下に排列して設置されたバックルと、対応する該前ウイング片の内側表面に設置されたベルトであることを特徴とする、請求項１７に記載のカバーパンツ。
【請求項２１】
さらに２組の位置決め部材を含み、該位置決め部材が、該固定ベルト部の外側表面端部にそれぞれ設置されたボタンと、該前片体の対応する位置にそれぞれ上下に排列して設置されたボタンホールであることを特徴とする、請求項１７に記載のカバーパンツ。
【請求項２２】
前記カバーパンツの片側または両側の該固定ベルト部の上端部がミシン縫いまたはリベットで該前片体の対応する位置に固定されることを特徴とする、請求項１７に記載のカバーパンツ。
【請求項２３】
前記第１ファスナー部材が面ファスナーであり、そのオス部またはメス部のうちのいずれか一方が該固定ベルト部の内側表面に設置され、そのオス部またはメス部のうちの他方が該後ろウイング部の延伸部の外側表面に設置されたことを特徴とする、請求項１７に記載のカバーパンツ。
【請求項２４】
前記第１ファスナー部材が複数個のスナップボタンであり、そのオスボタンまたはメスボタンのいずれか一方が上下に排列して該固定ベルト部の内側表面に設置され、そのオスボタンまたはメスボタンの他方が左右に排列して該後ろウイング部の延伸部外側表面に設置されたことを特徴とする、請求項１７に記載のカバーパンツ。
【請求項２５】
前記第２ファスナー部材が面ファスナーであり、そのオス部が該前ウイング部の内側表面に設置され、そのメス部が該後ろウイング部の外側表面に設置されたことを特徴とする、請求項１７に記載のカバーパンツ。
【請求項２６】
前記第３ファスナー部材が面ファスナーであり、そのオス部が該固定ベルト部の外側表面に設置され、そのメス部が該前片体の内側表面に設置されたことを特徴とする、請求項１７に記載のカバーパンツ。
【請求項２７】
前記第３ファスナー部材が複数個のスナップボタンであり、そのオスボタンまたはメスボタンのいずれか一方が上下に排列して該固定ベルト部の外側表面に設置され、そのオスボタンまたはメスボタンの他方が上下に排列して該前片体の内側表面に設置されたことを特徴とする、請求項１７に記載のカバーパンツ。
【請求項２８】
前記後ろ臀部と該固定ベルト部の内側表面にそれぞれ面ファスナーのオス部が設置され、該吸収部材の不織布表層に粘着固定するために用いられることを特徴とする、請求項１７に記載のカバーパンツ。
【請求項２９】
さらに２つの互いに対向して該前ウエスト部と該後ろウエスト部設置され、外側表面から内側表面に向かって折り込まれて固定される前固定ユニットと後ろ固定ユニットを含み、該前固定ユニットと該後ろ固定ユニットのそれぞれが、該外側表面に対称に設置され、外側から内側に向かって折り込まれて固定される２つの面ファスナーオス部を含み、そのメス部がそれぞれ対応して該内側表面と該外側表面を覆って設けられ、該外側表面の該メス部下方に横に連接座部が設けられ、該連接座部の内側表面の左右端に該オス部がそれぞれ設置され、かつ２つのオス部間に、折り込んだときに排泄物の付着を回避するための凹部が設けられたことを特徴とする、請求項１７乃至２８のいずれかに記載のカバーパンツ。
【請求項３０】
前記股下部の前端が延伸されて着装者の恥骨上端縁の体表に対応する位置に上延部が形成され、かつ外側表面に第３ファスナー部材のメス部の分離部が設置されたことを特徴とする、請求項２９に記載のカバーパンツ。
【請求項３１】
吸収部材とカバーパンツを組み合わせた着用方法であって、請求項２の吸収部材と請求項２９のカバーパンツを組み合わせた着用方法であり、そのうち、該カバーパンツの位置決め係合が完了した後、（Ａ）カバーパンツを展開し、破断線を該股下部から少なくとも１ｃｍ高くして吸収部材を設置し、後ろピックアップ部の開孔を後ろ固定ユニットの該オス部とメス部の間に配置した後係合して固定する工程と、（Ｂ）吸収部材を含む後ろ片体を着装者の臀部に配置した後、破断線を破断し、開口の底部を陰嚢後方根部に当てる工程と、（Ｃ）まず一側の延伸部と股下に展開された前ピックアップ部の開孔を引っ張り重ね合わせた後、片手で持ち、もう一方の手で股下から同側の固定ベルト部を引き出し、第１ファスナー部材を開孔内で係合し、他側で前述の動作を繰り返し、開口で陰嚢後方根部を緊密に囲む工程と、（Ｄ）位置決めされていない側の第２ファスナー部材を係合し、前片体で着装者の腹部を覆う工程と、（Ｅ）上に向けて前片体を開き、コンドームカテーテルまたは導尿用カテーテルを陰茎上に取り付けた後、コンドームカテーテルまたは導尿用カテーテルをそのうち一側の第３ファスナー部材のメス部の目標位置に配置するか、またはコンドームカテーテルを２つの第３ファスナー部材のメス部の間に配置した後、前片体を戻して覆い、第３ファスナー部材を係合する工程と、を含むことを特徴とする、吸収部材とカバーパンツを組み合わせた着用方法。
【請求項３２】
吸収部材とカバーパンツを組み合わせた着用方法であって、請求項５の吸収部材と請求項３０のカバーパンツを組み合わせた着用方法であり、そのうち、該カバーパンツの位置決め係合が完了した後、（ａ）後ろ片体を展開し、該吸収部材を設置して、後ろピックアップ部の開孔を後ろ固定ユニットの該オス部とメス部の間に配置し、係合して固定する工程と、（ｂ）吸収部材を含む後ろ片体を着装者の臀部に配置する工程と、（ｃ）一側の延伸部と股下の固定ベルト部を引っ張り重ね合わせ、第１ファスナー部材を吸収部材の外部に留め、他側で前述の動作を繰り返す工程と、（ｄ）位置決めされていない側の第２ファスナー部材を係合し、前ピックアップ部の開孔を前固定ユニットの該オス部とメス部の間に配置して係合し、固定する工程と、（ｅ）上に向けて前片体を開き、第１ファスナー部材を開いて、破断線を破断し、下へ折り返して陰茎を露出した後、第１ファスナー部材を再び留める工程と、（ｆ）コンドームカテーテルを陰茎上に取り付けた後、そのうち一側の第３ファスナー部材のメス部の目標位置に配置し、前片体を戻して覆い、かつ第３ファスナー部材を係合する工程と、を含むことを特徴とする、吸収部材とカバーパンツを組み合わせた着用方法。
【請求項３３】
吸収部材とカバーパンツを組み合わせた着用方法であって、請求項９の吸収部材と請求項２８のカバーパンツを組み合わせた着用方法であり、そのうち、該カバーパンツの位置決め係合が完了した後、（Ａ'）カバーパンツを展開し、破断線を該股下部から少なくとも１ｃｍ高くして吸収部材を設置してから、不織布表層とカバーパンツ内側表面に設置された面ファスナーのオス部を粘着して固定する工程と、（Ｂ'）吸収部材を含む後ろ片体を着装者の臀部に配置した後、破断線を破断し、開口の底部を陰嚢後方根部に当てる工程と、（Ｃ'）一側の延伸部と股下の固定ベルト部を引っ張り重ね合わせ、第１ファスナー部材を留め、他側で前述の動作を繰り返し、開口で陰嚢後方根部を緊密に囲む工程と、（Ｄ'）位置決めされていない側の第２ファスナー部材を係合し、前片体で着装者の腹部を覆う工程と、（Ｅ'）上に向けて前片体を開き、コンドームカテーテルを陰茎上に取り付けた後、コンドームカテーテルをそのうち一側の第３ファスナー部材メス部の目標位置に配置するか、コンドームカテーテルを２つの第３ファスナー部材のメス部の間に配置した後、前片体を戻して覆い、第３ファスナー部材を係合する工程と、を含むことを特徴とする、吸収部材とカバーパンツを組み合わせた着用方法。
【発明の詳細な説明】
【技術分野】
【０００１】
本発明は、環境保護を主な目的とした失禁用紙オムツとカバーパンツ、及びその組み合わせによる着用方法に関する。
【背景技術】
【０００２】
従来の成人用紙オムツは概ね「エ」字形を呈する全体を包み込む形式の設計である。第一に、サイズの範囲が大きすぎ、例えばあるブランドのＭサイズはウエスト２８〜４４インチ、Ｌサイズは３８〜６２インチに適用され、多くの人がぴったり装着できず、横漏れが生じやすい。 第二に、女性の着装者、「導尿用カテーテル」または「コンドームカテーテル」装置の使用者にとって、前腹領域等の必ずしも消耗材とする必要がない部分が資源の浪費につながり、環境を悪化させる。  第三に、長期的に寝たきりの人は３日に１回は浣腸剤を使用して排便を促進する必要があり、継続的な瀉出（水様便）の形態が形成され、即ち１日目は量が多く、２日目、３日目は量が少ない、または微量の滲出があるといった形となり、紙オムツを使用すると、１日目は生殖器が糞便に浸かり、湿疹や尿路感染、後続の医療介護の問題を引き起こしやすく、かつ横漏れが発生しやすい（水様便が臀部に沿って流れるため）が、２日目、３日目は少量の便のみとなるため、全体の交換が無駄を招く。 第四に、紙オムツは体積が大きく、重量が重いため、包装材が増え、空間を占拠し、保管・輸送費用、廃棄物処理費用、介護コストが増加する。
【０００３】
さらに、該「導尿用カテーテル」はずれたり、絡んだりしやすく、引っ張られて脱落し、尿液が外部に漏れ出すことがある。該「コンドームカテーテル」は留置せずに尿を集めて観察でき、介護の人力、環境保護等の面でも極めて効率が高く、広範に使用されているが、紙オムツのみを着用しているとき、コンドームカテーテルが圧迫されて尿液が逆流し、頻繁に溢れ出るため、絶えずきれいにしなければならない。さらに、全体を覆っているため蒸れやすく、臭いが環境を汚染しやすい。
【０００４】
本願と同一の発明者による台湾特許公報第ＴＷＭ５５４３４１号の「材料節減型着装物」は、中国、日本、欧州連合等の地で公開されており、これも吸収部材と着装部材（カバーパンツ）の組み合わせであるが、その「Ｕ字状の切り欠き部」は完全に切断された開放型であり、本願の破断線の開口が選択的に破断可能で、かつ陰嚢根部を緊密に囲む隔離型であるのとは異なる。男性生殖器を露出させることはできるが、遮蔽式の着装部材はコンドームカテーテルを取り付けることができない。導尿用カテーテルを出すことはできるが、滑り止めは滑り止めゲルで施す必要があり、前側シート、後ろ側シートの開閉で導尿用カテーテルまたはコンドームカテーテルの固定、係止位置の調整を行うことはできない。
【先行技術文献】
【特許文献】
【０００５】
【特許文献１】台湾特許公報第ＴＷＭ５５４３４１号明細書
【発明の概要】
【発明が解決しようとする課題】
【０００６】
本発明の第１の目的は、カバーパンツと組み合わせて着装する（単独の着装はできない）吸収部材を提供することにある。本発明は資源の節約、繰り返し使用、廃棄物減量等を含む環境保護を考慮して開発され、即ち、基材、コア材、弾性部材を減少し、節約しながら、利便性と安全性、快適性という目的を達成し、環境保護を実現する。その隔離型吸収部材１、遮蔽型吸収部材３の前ピックアップ部、後ろピックアップ部には開孔が設けられ、カバーパンツの相互に対応する面ファスナーのオスメスを開孔内で接触させ、開孔外で貼着して滑り止めとし、位置を合わせて通して留めたり、位置を見分けて取り外したりする必要がない。
【０００７】
同時に、男性生殖器が糞便に浸ることを回避し、かつ前述の紙オムツの欠点を解決するために、該隔離型吸収部材１は導尿用カテーテル、コンドームカテーテルを設置した寝たきりの人が着装できる。その「２つの凸部」を用いて臀部に沿って流れる末端の水便を吸収し、２つの凸部の間に設けられた「破断線開口」を選択的に破断し、陰嚢後方根部を緊密に囲み、生殖器を隔離することができる。破断しない場合、女性が着装できる。
【０００８】
また、該遮蔽型吸収部材３は活動する人が着装できる。その前腹領域の薄膜に「破断線開口」が設けられ、これを選択的に破断し、下へ折り返すことで、夜間にコンドームカテーテルを設置（頻尿の人が安眠できる）したり、通気性を確保（汗の湿気と蒸れを改善できる）したりすることができる。
【０００９】
本発明の第２の目的は、開孔を設けず、カバーパンツ後ろ片体の内側表面に設置した面ファスナーオス部で固定し、設置材料を減少するとともに、迅速に着装できる、不織布（非織物材料）表層を備えた隔離型吸収部材２を提供することにある。
【００１０】
本発明の第３の目的は、カバーパンツを提供することにある。その固定ベルト部及び中間オープン部を該吸収部材の開口に合わせて固定でき、或いは遮蔽型吸収部材の前腹領域左右を収束する（即ち、コア材を節約し、横漏れしない）ために用いることができ、その前片体は位置決めして留めた後（以降は他方の一側のみを留めればよく、着装後もずれない）、開閉して該導尿用カテーテルを固定したり、コンドームカテーテルを置換及び固定したり、左右の係合間隔を調整したり（コンドームカテーテルの圧迫により尿液が逆流して溢れ出ることを回避する）することができ、その前固定ユニット、後ろ固定ユニットは外側から内側に係合され（吸収部材の適用可能なサイズを増加する）、またはその後ろ片体の内側表面に面ファスナーオス部を設置し、吸収部材の不織布表層に粘着してもよく（材料を節約し、速やかに着装でき、かつ導尿用カテーテルを粘着するオスとメスの間に配置して一緒に固定できる）、コンドームカテーテルを設置した後は、本来１日に６回紙オムツを交換する必要があるところを、１日に１回の吸収部材交換まで節約できる。
【００１１】
本発明の第４の目的は、該開孔を備えた隔離型吸収部材とカバーパンツを組み合わせた着用方法を提供することにある。
【００１２】
本発明の第５の目的は、該開孔を備えた遮蔽型吸収部材とカバーパンツを組み合わせた着用方法を提供することにある。
【００１３】
本発明の第６の目的は、該不織布表層を備えた隔離型吸収部材とカバーパンツを組み合わせた着用方法を提供することにある。
【課題を解決するための手段】
【００１４】
本発明の第１の目的であるカバーパンツと組み合わせて着装する吸収部材は、液体透過最上層と、液体不透過最下層と、該液体透過最上層と液体不透過最下層の間に配置された吸収コアと、該液体透過最上層の左右に縦方向に延伸して設けられた漏れ防止ギャザー部を含み、そのうち、該吸収コアが少なくとも臀部後ろ領域と股下領域を含み、該吸収コア前方の薄膜が延伸されて前ピックアップ部が形成され、吸収部材の後ろウエスト部の薄膜が延伸されて後ろピックアップ部が形成され、該後ろピックアップ部の左右上方に面ファスナーのオスメスを接触させて係止するに足る少なくとも１つの開孔がそれぞれ設けられ、該前ピックアップ部の左右上方に面ファスナーのオスメスを接触させて係止するに足る少なくとも１つの開孔がそれぞれ設けられたことを特徴とする。
【００１５】
前記吸収コアは、臀部後ろ領域と股下領域を含み、該吸収コアの前端に男性着装者の生殖器左右にそれぞれ延伸される２つの凸部が設けられ、かつ２つの凸部の間にある凹部の陰嚢根部に対応する位置に、腹部方向に向かって開放された破断線開口が設けられ、隔離型吸収部材が形成される。
【００１６】
該吸収コアはさらに該股下領域の前端から着装者の腹部 ±２ｃｍの高さまで延伸された前腹領域を含み、該前腹領域の薄膜に該前腹領域の吸収コア外囲に沿った破断線開口が設けられ、遮蔽型吸収部材が形成される。
【００１７】
該開孔は俯瞰した形状がハート型、星型、或いは幾何図形中の任意の形状である。
【００１８】
本発明の第２の目的である不織布（非織物材料）表層を備えた隔離型吸収部材２は、液体透過最上層と、液体不透過最下層と、該液体透過最上層と液体不透過最下層の間に配置された吸収コアと、該液体透過最上層の左右に縦方向に延伸して設けられた漏れ防止ギャザー部を含み、そのうち、該吸収コアが、臀部後ろ領域と、股下領域を含み、該吸収コア前方の薄膜を延伸して前ピックアップ部が形成され、該吸収コアの前端に男性着装者の生殖器左右にそれぞれ延伸される２つの凸部が設けられ、かつ２つの凸部の間にある凹部の陰嚢根部に対応する位置に、腹部方向に向かって開放された破断線開口が設けられ、隔離型吸収部材が形成される。
【００１９】
前記吸収部材は、該最下層にさらに長い繊維の、またはふんわりとした不織布表層が結合される。
【００２０】
または、該最下層の背面に接着剤が設けられる。
【００２１】
該開口は縦方向の直線形状、またはＶ字形の線の形状を呈する。
【００２２】
或いは、概ねカプセル形または楕円形で、かつ上端に縦方向の直線が接続された形状を呈する、または逆Ａ字形の線の形状、或いは中心点で相互に交わる複数の直線で、かつ上に延伸された縦方向の直線を含む形状を呈する。
【００２３】
該破断線は断続的な貫通孔または断続的な線状の切り込み或いは熱溶融圧痕である。
【００２４】
本発明の第３の目的であるカバーパンツは、後ろ片体と前片体を含み、該後ろ片体が、後ろウエスト部と、後ろ臀部と、該後ろ臀部の下端から延伸された股下部と、後ろウエスト部左右側部近くに設置された弾性伸縮部と、該後ろウエスト部の左右側辺に接続され、かつそれぞれ延伸部を備えた後ろウイング部と、左右１つずつ該股下部の前端に接続され、該延伸部にそれぞれ対応する２つの固定ベルト部と、２つの固定ベルト部により共同で定義される中間オープン部と、該後ろ臀部及び股下部の左右辺縁に設けられた腿周りギャザー辺を含み、該前片体が、前ウエスト部と、前腹部と、男性生殖器を遮蔽するに足る下延部と、前ウエスト部の左右に接続され、該後ろウイング部に対応する前ウイング部を含み、そのうち、該延伸部と固定ベルト部がそれぞれ第１ファスナー部材により着装者の左右腹部側面で取り外し可能に相互に係止され、該後ろウイング部と前ウイング部がそれぞれ第２ファスナー部材により取り外し可能に相互に係止され、該固定ベルト部と前片体がそれぞれ第３ファスナー部材により着装者の左右腹部側面で取り外し可能に相互に係止される。
【００２５】
或いは、該カバーパンツはさらに１組の位置決め部材を含むことができ、該位置決め部材が１つの後ろウイング部外側表面に上下に排列されたボタンと、対応する前ウイング部の左右に排列されたボタンホールである、またはそのうち１つの前ウイング片の内側表面に設置されたフックと、対応する後ろウイング片の外側表面に上下に排列して設置された複数のループ列であり、該ループ列が複数の左右に排列されたループを含み、或いはそのうち１つの後ろウイング片の外側表面に上下に排列されたバックルと、対応する前ウイング片の内側表面に設置されたベルトである。
【００２６】
或いは、さらに２組の位置決め部材を含み、該位置決め部材が、固定ベルト部の外側表面端部にそれぞれ設置されたボタンと、前片体の対応する位置にそれぞれ上下に排列して設置されたボタンホールである。
【００２７】
または、片側または両側の固定ベルト部の上端部がミシン縫いまたはリベットで前片体の対応する位置に固定される。
【００２８】
該ファスナー部材は面ファスナー、または複数個のスナップボタンである。
【００２９】
或いは、該後ろ臀部及び固定ベルト部の内側表面にそれぞれ面ファスナーオス部が設置される。
【００３０】
或いはさらに２つの互いに対向して前ウエスト部と後ろウエスト部に設置され、外側表面から内側表面に向かって折り込まれて固定される前固定ユニットと後ろ固定ユニットを含み、それぞれが、該外側表面に対称に設置され、外側から内側に向かって折り込まれて固定される２つの面ファスナーオス部を含み、そのメス部がそれぞれ対応して該内側表面と外側表面を覆って設けられる。
【００３１】
または、該股下部の前端が延伸されて着装者の恥骨上端縁の体表に対応する位置に上延部が形成され、かつ外側表面に第３ファスナー部材メス部の分離部が設置される。
【００３２】
本発明の第４の目的である開孔を備えた隔離型吸収部材１とカバーパンツ（位置決め固定済み）を組み合わせた着用方法は、次の工程を含む。（Ａ）カバーパンツを展開し、破断線を該股下部から少なくとも１ｃｍ高くして吸収部材を設置し、後ろピックアップ部の開孔を後ろ固定ユニットの該オス部とメス部の間に配置した後係合して固定する。（Ｂ）吸収部材を含む後ろ片体を着装者の臀部に配置した後、破断線を破断し、開口の底部を陰嚢後方根部に当てる。（Ｃ）まず一側の延伸部と股下に展開された前ピックアップ部の開孔を引っ張り重ね合わせた後、片手で持ち、もう一方の手で股下から同側の固定ベルト部を引き出し、第１ファスナー部材を開孔内で係合する。他側で前述の動作を繰り返し、開口で陰嚢後方根部を緊密に囲む。（Ｄ）位置決めされていない側の第２ファスナー部材を係合し、前片体で着装者の腹部を覆う。（Ｅ）上に向けて前片体を開き、コンドームカテーテルまたは導尿用カテーテルを陰茎上に取り付けた後、コンドームカテーテルまたは導尿用カテーテルをそのうち一側の第３ファスナー部材のメス部の目標位置に配置するか、またはコンドームカテーテルを２つの第３ファスナー部材のメス部の間に配置した後、前片体を戻して覆い、第３ファスナー部材を係合する。
【００３３】
本発明の第５の目的である開孔を備えた隔離型吸収部材３と股下部に上延部及び分離部を備えたカバーパンツ（位置決め固定済み）を組み合わせた着用方法は、次の工程を含む。（ａ）後ろ片体を展開し、該吸収部材を設置して、後ろピックアップ部の開孔を後ろ固定ユニットの該オス部とメス部の間に配置し、係合して固定する。（ｂ）吸収部材を含む後ろ片体を着装者の臀部に配置する。（ｃ）一側の延伸部と股下の固定ベルト部を引っ張り重ね合わせ、第１ファスナー部材を吸収部材の外部に留める。他側で前述の動作を繰り返す。（ｄ）位置決めされていない側の第２ファスナー部材を係合し、前ピックアップ部の開孔を前固定ユニットの該オス部とメス部の間に配置して係合し、固定する。（ｅ）上に向けて前片体を開き、第１ファスナー部材を開いて、破断線を破断し、下へ折り返して陰茎を露出した後、第１ファスナー部材を再び留める。（ｆ）コンドームカテーテルを陰茎上に取り付けた後、２つの固定ベルト部の間に配置するか、固定ベルト部第３ファスナー部材のメス部の目標位置に配置し、前片体を戻して覆い、かつ第３ファスナー部材を係合する。
【００３４】
本発明の第６の目的不織布表層を備えた隔離型吸収部材２と該後ろ片体の内側表面に面ファスナーのオス部が設置されたカバーパンツ（位置決め固定済み）を組み合わせた着用方法は、次の工程を含む。（Ａ'）カバーパンツを展開し、破断線を該股下部から少なくとも１ｃｍ高くして吸収部材を設置してから、不織布表層とカバーパンツ内側表面に設置された面ファスナーのオス部を粘着して固定する。（Ｂ'）吸収部材を含む後ろ片体を着装者の臀部に配置した後、破断線を破断し、開口の底部を陰嚢後方根部に当てる。（Ｃ'）一側の延伸部と股下の固定ベルト部を引っ張り重ね合わせ、第１ファスナー部材を留める。他側で前述の動作を繰り返し、開口で陰嚢後方根部を緊密に囲む。（Ｄ'）位置決めされていない側の第２ファスナー部材を係合し、前片体で着装者の腹部を覆う。（Ｅ'）上に向けて前片体を開き、コンドームカテーテルを陰茎上に取り付けた後、コンドームカテーテルをそのうち一側の第３ファスナー部材メス部の目標位置に配置するか、コンドームカテーテルを２つの第３ファスナー部材のメス部の間に配置した後、前片体を戻して覆い、第３ファスナー部材を係合する。
【図面の簡単な説明】
【００３５】
【図１Ａ】本発明の開孔を備えた隔離型吸収部材の実施例の平面展開俯瞰図であり、縦方向の直線形状の破断線を備え、等比で該破断線を破断して開口とした状態の対照図も示す。
【図１Ａａ】図１Ａの実施例（破断線を破断した状態）の拡大立体図である。
【図１Ｂ】図１Ａの吸収部材の異なる実施態様を示す平面展開俯瞰図であり、Ｖ字形の線の形状の破断線を備え、等比で該破断線を破断して開口とした状態の対照図も示す。
【図１Ｃ】図１Ａの吸収部材の異なる実施態様を示す平面展開俯瞰図であり、カプセル型または楕円形で、上端に縦方向の直線が連接された形状の開口を備え、等比で該破断線を破断して開口とした状態の対照図も示す。
【図１Ｄ】図１Ａの吸収部材の異なる実施態様を示す平面展開俯瞰図であり、逆Ａ字形の線の形状の破断線を備え、等比で該破断線を破断して開口とした状態の対照図も示す。
【図１Ｅ】図１Ａの吸収部材の異なる実施態様を示す平面展開俯瞰図であり、中心点で相互に交わる複数の直線で、かつ上に延伸された縦方向の直線を含む形状の破断線を備え、等比で該破断線を破断して開口とした状態の対照図も示す。
【図２Ａ】本発明の不織布表層を備えた隔離型吸収部材の立体図と、縦方向の直線形状の破断線を備え、等比で該破断線を破断して開口とした状態を示す部分立体図である。
【図２Ａａ】図２Ａの実施例（破断線を破断した状態）の拡大立体図である。
【図２Ｂ】図２Ａの吸収部材の異なる実施態様を示し、Ｖ字形の線の形状の破断線開口を示す部分立体図である。
【図２Ｃ】図２Ａの吸収部材の異なる実施態様を示し、概ねカプセル型または楕円形で、上端に縦方向の直線が連接された形状の破断線開口を示す部分立体図である。
【図２Ｄ】図２Ａの吸収部材の異なる実施態様を示し、逆Ａ字形の線の形状の破断線開口を示す部分立体図である。
【図２Ｅ】図２Ａの吸収部材の異なる実施態様を示し、中心点で相互に交わる複数の直線で、かつ上に延伸された縦方向の直線を含む形状の破断線開口を示す部分立体図である。
【図３Ａ】本発明の開孔を備えた遮蔽型吸収部材の実施例の平面展開俯瞰図であり、破断線を備え、等比で該の破断線を破断して開口とした状態の対照図も示す。
【図３Ａａ】図３Ａの実施例（破断線を破断した状態）の拡大立体図である。
【図４Ａ】縦方向の直線の開口が陰嚢後方根部を緊密に囲んだ状態（断面）を示す。
【図４Ｂ】図４Ａとの比較図であり、Ｖ字形の線の開口が陰嚢後方根部を緊密に囲んだ状態（断面）を示す。
【図５】本発明のカバーパンツの後ろ片体と前片体片側の位置決め部材の位置を示す立体図である。
【図６】カバーパンツの第１〜第３ファスナー部材の配置を示す立体図である。
【図７】カバーパンツに開孔を備えた隔離型吸収部材を配置した立体図である。
【図８】カバーパンツの後ろ片体の内側表面に面ファスナーのオス部を設置した状態を示す概略図である。
【図９】カバーパンツに不織布表層を備えた隔離型吸収部材を設置した立体図である。
【図１０】カバーパンツに遮蔽型吸収部材を設置した立体図である。
【図１１Ａ】図１１Ｂ、図１１Ｃとの比較図であり、後ろ固定ユニットを後ろウエスト部内側の位置の開孔に係合できることを示す。
【図１１Ｂ】図１１Ａ、図１１Ｃとの比較図であり、後ろ固定ユニットを後ろウエスト部上側の位置の開孔に係合できることを示す。
【図１１Ｃ】図１１Ａ、図１１Ｂとの比較図であり、後ろ固定ユニットを後ろウエスト部外側の位置の開孔に係合できることを示す。
【図１２Ａ】開孔を備えた隔離型吸収部材の着装の図１２Ｂとの比較図であり、男性用の導尿用カテーテルが第３ファスナー部材のオス部とメス部の間に固定された状態を示す。
【図１２Ｂ】開孔を備えた隔離型吸収部材の着装の図１２Ａとの比較図であり、女性用の導尿用カテーテルが第３ファスナー部材のオス部とメス部の間に固定された状態を示す。
【図１３Ａ】不織布表層を備えた隔離型吸収部材の着装の図１３Ｂとの比較図であり、男性用の導尿用カテーテルが固定ベルト部と不織布表層の間に固定された状態を示す。
【図１３Ｂ】不織布表層を備えた隔離型吸収部材の着装の図１３Ａとの比較図であり、女性用の導尿用カテーテルが固定ベルト部と不織布表層の間に固定された状態を示す。
【図１４Ａ】コンドームカテーテルを取り付けた後の前片体を閉じる前（側面）の状態を示す図１４Ｂとの比較図である。
【図１４Ｂ】コンドームカテーテルを取り付けた後の前片体を閉じた後（前面）の状態を示す図１４Ａとの比較図である。
【図１５】カバーパンツと遮蔽型吸収部材の着装時、前片体を位置決めした後閉じる前の状態を示す概略図である。
【図１６Ａ】図１６Ｂとの比較図であり、カバーパンツと遮蔽型吸収部材の着装時、前固定ユニットを固定する前の状態を示す概略図である。
【図１６Ｂ】カバーパンツと遮蔽型吸収部材の着装時、前固定ユニットを固定した後の状態を示す概略図である。
【図１７】カバーパンツと遮蔽型吸収部材の着装時、前片体を閉じた後再び開き、コンドームカテーテルを取り付けた後の状態を示す概略図である。
【図１８】カバーパンツの別の一実施例の両側に備えた位置決め部材の位置を示す立体図である。
【図１９】図１８のカバーパンツであり、一側を留めて取り外さず、他側を開放し、前片体を股下に展開した状態を示す概略図である。
【図２０】図１８のカバーパンツの一側を開放した状態を示す概略図である。
【発明を実施するための形態】
【００３６】
以下では着装して正面を向き立った姿勢を例として、本発明で採用する技術の方向、位置、サイズを説明する。
【００３７】
図１Ａから図１Ｅにそれぞれ本発明の開孔を備えた隔離型吸収部材１を示す。図２Ａから図２Ｅにそれぞれ不織布表層を備えた隔離型吸収部材２を示す。図３Ａ、図３Ａａに開孔を備えた遮蔽型吸収部材３を示す。これら吸収部材１、２、３は、液体透過最上層１００、２００、３００と、液体不透過最下層と、該液体透過最上層と液体不透過最下層の間に配置された吸収コア１０、２０、３０と、該液体透過最上層の左右に縦方向に延伸して設けられた漏れ防止ギャザー部１４、２４、３４（即ち、公知の２枚の疎水性薄片の相互に対向する辺にそれぞれ弾性部材１５、２５、３５を包み込み、着装時に収縮して立体ギャザー壁となる）を含む。
【００３８】
吸収部材１、３において、該吸収コアの前方の薄膜を延伸して前ピックアップ部１８、３８が形成され、後ろウエスト部の薄膜を延伸して後ろピックアップ部１６、３６が形成され、該後ろピックアップ部の左右上方に面ファスナーのオスメスを接触させて係止するに足る少なくとも１つの開孔１７、３７がそれぞれ設けられ、該前ピックアップ部の左右上方に面ファスナーのオスメスを接触させて係止するに足る少なくとも１つの開孔１９、３９がそれぞれ設けられる。
【００３９】
別の一実施例において、単純に開孔のみを設けた吸収部材は、その吸収コアが少なくとも臀部後ろ領域と股下領域を含み、やはりカバーパンツにより着用することができる。
【００４０】
該開孔は図１Ａの楕円形を例とすると、短いほうの直径が例えば２〜３ｃｍ、長いほうの直径が例えば２.５〜３.５ｃｍが好ましく、複数の直径がより小さい開孔としてもよい。該開孔を俯瞰した形状は、ハート型（図７の開孔１７）、星型（図１０の開孔３７）、幾何図形中の任意の形状を含む（方向の識別や分類に便利である）。
【００４１】
吸収部材３において、そのうち該吸収コア３０は、臀部後ろ領域３１と、股下領域３２と、該股下領域の前端から着装者腹部の ±２ｃｍの高さまで延伸された前腹領域３３を含み、該前腹領域の薄膜３０１に該前腹領域の吸収コア外囲に沿って破断線３３ｓと開口３３０が設けられ、遮蔽型吸収部材が形成される。これを選択的に破断し、下へ折り返すことで、男性着装者がコンドームカテーテル（参照図１４Ａ、図１４Ｂの符号T。或台湾特許公報第ＴＷＭ265025号など）を取り付けたり、通気性を確保したりすることができる。
【００４２】
吸収部材１、２において、該吸収コアは、臀部後ろ領域１１、２１と、股下領域１２、２２を含み、股下領域の前方が該前ピックアップ部であり、該吸収コアの前端１０ａ、２０ａが男性着装者の生殖器左右方向にそれぞれ延伸される２つの凸部１０ｃ、２０ｃを備え、かつ２つの凸部間の凹部の陰嚢根部に対応する位置に、腹部方向に向かって開放された破断線開口が設けられ、これを選択的に破断した後、陰嚢後方根部を緊密に囲み、生殖器を隔離することができる。
【００４３】
別の一実施例において、単純に２つの凸部と破断線開口のみを設けた吸収部材は、相互に対応するスナップボタンを設置したカバーパンツで後ろウエスト部、前ピックアップ部の薄膜を挟んで固定することができる（図示しない）。
【００４４】
図８に示すように、該吸収部材２の後ろピックアップ部２６、前ピックアップ部２８は開孔がなく、そのうち、該最下層に長い繊維の、またはふんわりとした不織布表層２０２が結合される。所謂結合とは、例えば公知の複合膜とすることができ、カバーパンツ内側表面に設けた面ファスナーのオス部Ｙを粘着して固定できる。図１３Ａ、図１３Ｂに示すように、粘着するオスとメスの間に導尿用カテーテルＳを便利に固定することができる。
【００４５】
或いは、最下層の背面に接着剤を設置してカバーパンツ内側表面に固定する。
【００４６】
前記吸収部材１、２において、該破断線は縦方向の直線１３ｓａ、２３ｓａの開口１３０ａ、２３０ａ、またはＶ字形の線１３ｓｂ、２３ｓｂで、その内角が２０°より小さい開口１３０ｂ、２３０ｂ、或いは概ねカプセル型または楕円形を呈し、かつ上端に縦方向の直線１３ｓｃ、２３ｓｃが連接された開口１３０ｃ、２３０ｃ、または逆Ａ字形の線１３ｓｄ、２３ｓｄの開口１３０ｄ、２３０ｄ、或いは中心点で相互に交わる複数の直線で、かつ上に延伸された縦方向の直線を含む開口１３０ｅ、２３０ｅとすることができ、該相互に交わる複数の直線を破断して折り返した後、楕円形の開口が形成され、楕円形の横方向の短軸長さが１.５〜３ｃｍ、縦方向の長軸長さが６ｃｍ±２ｃｍである。
【００４７】
そのうち、該逆Ａ字形の線の開口は、下方の逆三角形部分のみを破断し、例えばコンドーム状の陰茎カバー、尿止めカバー（台湾特許公報第ＴＷＭ４８３０７２号、第ＴＷＭ３４１５０１号など）等の装置取り付けに用いると、生殖器と一緒に穿出させ、一度に引っ張り、迅速に粘着・取り付けが可能である。また、吸収部材の交換時に上方の逆台形部分をさらに切り取ってもよい。或いは、一度に全部を破断し、長いコンドームカテーテル、導尿用カテーテルを出してもよい。
【００４８】
吸収部材１、２の破断線開口の幅はいずれも陰嚢根部より小さく、薄膜材質の柔軟性、延展性を利用して、開口底部を陰嚢Ｑ１後方根部Ｑ１１に当て、引っ張った後形状に沿った弧形となり（図４Ａ、図４Ｂに示すように自然に生じる皺襞１３ａｗ、１３ｂｗが阻隔層を増加する）、開口が狭いほど皺襞が多くなるため、密着した形態で生殖器を吸收部材の外部に隔離することができる。
【００４９】
該開口は断続した貫通孔（即ち点の切り込み線）または断続した線状の切り込み（即ちナイフによる切り込み線）あるいは熱溶融圧痕で形成できる。 
【００５０】
上述の吸収部材は軟質の固定テープ１６１、２６１、３６１が該後ろピックアップ部内側表面の中上端位置に設置され、吸収部材を捨てる前に巻いて固定することができる。
【００５１】
図５〜図１０に本発明のカバーパンツＰの実施例を示す。後ろ片体Ｐ５と前片体Ｐ６を含み、該後ろ片体Ｐ５が、後ろウエスト部Ｐ５０と、後ろ臀部Ｐ５１と、股下部Ｐ５２と、後ろウエスト部の左右側部近くに設置された弾性伸縮部Ｐ５６と、該後ろウエスト部左右側部に設置され、かつ延伸部Ｐ５５１を備えた後ろウイング部Ｐ５５と（該伸縮部により後ろウイング部を着装者の腹左右側部に向かって引っ張ることができる）、左右１つずつ該股下部前端に連接され、該延伸部Ｐ５５１と相互に対応して係合される固定ベルト部Ｐ５３と、該固定ベルト部により共同で定義される中間オープン部Ｐ５４と、該後ろ臀部及び股下部左右側辺縁に設けられた腿周りギャザー辺Ｐ５７を含む。該前片体Ｐ６が、前ウエスト部Ｐ６０と、前腹部Ｐ６１と、男性生殖器を遮蔽するに足る下延部Ｐ６２（２つのダーツＰ６２１を設けてより密着させてもよい）と、前ウエスト部左右側部に連接され、該後ろウイング部と相互に対応して係合される前ウイング部Ｐ６５を含み、そのうち、該延伸部と固定ベルト部がそれぞれ第１ファスナー部材Ｖ１により着装者の左右腹部側面で取り外し可能に相互に係止され（後ろ片体は独立して設置着装可能）、該相互に対応する後ろウイング部と前ウイング部がそれぞれ第２ファスナー部材Ｖ２により取り外し可能に相互に係止され、該固定ベルト部と前片体がそれぞれ第３ファスナー部材Ｖ３により着装者の左右腹部側面で取り外し可能に相互に係止され、該オープン部Ｐ５４は男性生殖器を露出でき、かつ前片体は隨時開いて導尿用カテーテルＳを固定したり、コンドームカテーテルＴを取り付けたり、或いは左右側面の該第３ファスナー部材Ｖ３を係合させる間隔を調整したりすることができる。
【００５２】
或いは、該カバーパンツはさらに１組の片側の位置決め部材Ｋ１を含み（図６、図７）、取り外し可能に相互に係合して位置決めすることができ（初めて着装するとき、前片体で着装者腹部を覆い、左右高さを調整した後、最も近い１組の位置決め部材と係合した後、外さない）、該位置決め部材Ｋ１は、そのうち１つの後ろウイング部外側表面に上下に排列して設置されたボタンＫ１１と、対応する前ウイング部に設置され、該ボタンを選択的に通過させることができる左右に排列して設置されたボタンホールＫ１２である。または、位置決め部材Ｋ２としてもよく（図９）、位置決め部材Ｋ２は、そのうち１つの前ウイング片内側表面に設置されたフックＫ２１と、対応する後ろウイング片外側表面に上下に排列して設置され、選択的に該フックを通過させることができる複数のループ列であり、該ループ列が左右に排列された複数のループＫ２２を備えている。或いは、位置決め部材Ｋ３としてもよく（図１０）、位置決め部材Ｋ３は、そのうち１つの後ろウイング片外側表面に上下に排列して設置されたバックルＫ３２と、対応する前ウイング片内側表面に設置され、選択的に該バックルに通過させることができるベルトＫ３１である。
【００５３】
図１８〜図２０に示すように、さらに両側の位置決め部材ＫＤを含み、位置決め部材ＫＤは、固定ベルト部外側表面端部にそれぞれ設置されたボタンＫＤ１と、前片体の対応する位置にそれぞれ上下に排列して設置され、選択的に該ボタンを通過させることができるボタンホールＫＤ２である（これにより一方を選択して位置決め固定し、他方を開放して、導尿用カテーテルＳまたはコンドームカテーテルＴを出したり、両側を同時に位置決め固定して、遮蔽型吸収部材３の開口３３０を固定したり、或いは前腹領域３３を収束して横漏れを防止したりすることができる）。
【００５４】
または、片側または両側の固定ベルト部の上端部をミシン縫いまたはリベットで前片体の対応する位置に固定し（図示しない）、かつより多くのサイズを製造して選択使用に提供する。
【００５５】
該第１ファスナー部材Ｖ１は面ファスナーであり、その其オス部Ｖ１１またはメス部Ｖ１２のうち一方が該固定ベルト部の内側表面に設置され、そのオス部またはメス部のうち他方が該後ろウイング部の延伸部外側表面に設置される。該第２ファスナー部材Ｖ２は面ファスナーであり、そのオス部Ｖ２１が該前ウイング部の内側表面に設置され、そのメス部Ｖ２２が該後ろウイング部の外側表面に設置される。該第３ファスナー部材Ｖ３は面ファスナーであり、そのオス部Ｖ３１が該固定ベルト部の外側表面に設置され、そのメス部Ｖ３２が該前片体の延伸部内側表面に設置される。
【００５６】
または、第１ファスナー部材は複数個のスナップボタンとしてもよくそのオスボタンまたはメスボタンのいずれか一方が上下に排列して該固定ベルト部内側表面に設置され、そのオスボタンまたはメスボタンの他方が左右に排列して該後ろウイング部の延伸部外側表面に設置され、吸収部材３に適用することができる。
【００５７】
または、第３ファスナー部材は複数個のスナップボタンとしてもよく、そのオスボタンまたはメスボタンのいずれかが上下に排列して該固定ベルト部外側表面に設置され、そのオスボタンまたはメスボタンの他方が上下に排列して該前片体の内側表面に設置され、左右側面の係合位置を調整する必要がない女性用タイプ、または予め間隔を留めたものに適用することができる。これは位置決め部材の上下排列間隔と同じである。
【００５８】
別の一実施例において（図９）、該後ろ臀部、固定ベルト部内側表面にそれぞれ面ファスナーオス部Ｙが設置され、吸収部材２の不織布表層に粘着固定される。
【００５９】
一部の実施例において、該カバーパンツはさらに、前ウエスト部Ｐ６０と後ろウエスト部Ｐ５０に互いに対向して設置され、外側表面から内側表面に向かって折り込まれて固定される前固定ユニットＵ２と後ろ固定ユニットＵ１を含み、それぞれが、該外側表面に対称に設置され、外側から内側に向かって折り込まれて固定される２つの面ファスナーオス部Ｕ１１、Ｕ２１を含み、メス部Ｕ１２、Ｕ２２がそれぞれ対応して該内側表面と外側表面を覆って設けられ、該外側表面の該メス部下方に横に設けられた連接座部Ｕ４０、Ｕ５０を含み、該連接座部の内側表面の左右端に該オス部がそれぞれ設置され、かつ２つのオス部間に折り込んだときに排泄物の付着を回避する凹部Ｕ４００、Ｕ５００が設けられる。図１１Ａ、図１１Ｂ、図１１Ｃに示すように、該後ろ固定ユニットは後ろウエスト部の異なる位置の開口に固定できる。図１６Ａ、図１６Ｂはそれぞれ前固定ユニットの固定前と固定後の状態を示す。
【００６０】
修正した一実施例において、そのうち、該股下部の前端が延伸されて着装者の恥骨上端縁の体表に対応する位置に上延部Ｐ５２Ｈが形成され、かつ外側表面に第３ファスナー部材メス部の分離部Ｖ３３が設けられ、オス部下段部を留めることができ、遮蔽型吸収部材（図１０、図１７）に適用し、股下部内部の陰嚢Ｑ１が圧迫されないようにすることができる。
【００６１】
該吸収部材１と後ろ固定ユニットＵ１が設けられたカバーパンツ（位置決め固定済み）を組み合わせた着用方法は、次の工程を含む。（Ａ）カバーパンツＰを展開し、破断線を該股下部から少なくとも１ｃｍ高くして吸収部材１を設置し、後ろピックアップ部の開孔１７を後ろ固定ユニットＵ１の該オス部Ｕ１１とメス部Ｕ１２の間に配置した後係合して固定する。（Ｂ）吸収部材１を含む後ろ片体Ｐ５を着装者の臀部に配置した後、破断線を破断し、開口の底部を陰嚢Ｑ１後方根部Ｑ１１に当てる。（Ｃ）まず一側の延伸部Ｐ５５１と股下に展開された開孔１９を含む前ピックアップ部１８を引っ張り重ね合わせた後、片手で持ち、もう一方の手で股下から同側の固定ベルト部５３を引き出し、第１ファスナー部材Ｖ１を開孔１９内で係合する。他側で前述の動作を繰り返し、開口で陰嚢後方根部を緊密に囲む。（Ｄ）位置決めされていない側の第２ファスナー部材Ｖ２を係合し、前片体Ｐ６で着装者の腹部を覆う。（Ｅ）上に向けて前片体を開き、導尿用カテーテルＳまたはコンドームカテーテルＴを陰茎Ｑ２上に取り付けた後、導尿用カテーテルＳまたはコンドームカテーテルＴを一側の第３ファスナー部材Ｖ３のメス部Ｖ３２の目標位置に配置するか（図１２Ａ、図１２Ｂ、図１７）、またはコンドームカテーテルを両側のメス部の間に配置した後（図１４Ａ、図１４Ｂ）、前片体を戻して覆い、第３ファスナー部材を係合する。
【００６２】
前述の工程（Ｃ）は、係合位置を熟知した後次のように簡素化できる。（Ｃ）片手で一側の後ろウイング部の延伸部を持ち、もう一方の手で股下から固定ベルト部と開孔１９を含む前ピックアップ部を同時に引っ張り、延伸部上に重ね、第１ファスナー部材を係合する。他側で前述の動作を繰り返し、開口底部を陰嚢後方根部に当てる。
【００６３】
該吸収部材３と股下部に上延部Ｐ５２Ｈ及び分離部Ｖ３３が延伸されたカバーパンツ（位置決め固定済み）を組み合わせた着用方法は、次の工程を含む。（ａ）後ろ片体を展開し、該吸収部材を設置して、後ろピックアップ部の開孔を後ろ固定ユニットの該オス部とメス部の間に配置し、係合して固定する。（ｂ）吸収部材を含む後ろ片体を着装者の臀部に配置する。（ｃ）一側の延伸部と股下の固定ベルト部を引っ張り重ね合わせ、第１ファスナー部材を吸収部材の外部に留める（図１５）。他側で前述の動作を繰り返す。（ｄ）位置決めされていない側の第２ファスナー部材を係合し、前ピックアップ部の開孔を前固定ユニットＵ２の該オス部Ｕ２１とメス部Ｕ２２の間に配置して係合し、固定する。（ｅ）上に向けて前片体を開き、第１ファスナー部材を開いて、破断線を破断し、下へ折り返して陰茎を露出した後、第１ファスナー部材を再び留める。（ｆ）コンドームカテーテルを陰茎上に取り付けた後、２つの固定ベルト部の間に配置するか（図１４Ａ、図１４Ｂ）、固定ベルト部第３ファスナー部材のメス部の目標位置に配置し、前片体を戻して覆い、かつ第３ファスナー部材を係合する。
【００６４】
該吸収部材２と後ろ片体内側表面に面ファスナーのオス部Ｙが設置されたカバーパンツ（位置決め固定済み）を組み合わせた着用方法は、次の工程を含む。（Ａ'）カバーパンツＰを展開し、破断線を該股下部から少なくとも１ｃｍ高くして吸収部材２を設置してから、不織布表層２０２とカバーパンツ内側表面に設置された面ファスナーのオス部Ｙを粘着して固定する（図９）。（Ｂ'）吸収部材を含む後ろ片体を着装者の臀部に配置した後、破断線を破断し、開口の底部を陰嚢後方根部に当てる。（Ｃ'）一側の延伸部Ｐ５５１と股下の固定ベルト部Ｐ５３を引っ張り重ね合わせ、第１ファスナー部材を留める。他側で前述の動作を繰り返し、開口で陰嚢後方根部を緊密に囲む。（Ｄ'）位置決めされていない側の第２ファスナー部材を係合し、前片体Ｐ６で着装者の腹部を覆う。（Ｅ'）上に向けて前片体を開き、コンドームカテーテルＴを陰茎上に取り付けた後、コンドームカテーテルを一側の第３ファスナー部材メス部Ｖ３２の目標位置に配置するか、コンドームカテーテルＴを２つの第３ファスナー部材のメス部Ｖ３２の間に配置した後、前片体を戻して覆い、第３ファスナー部材を係合する。
【符号の説明】
【００６５】
１、２、３            吸収部材
１０、２０、３０        吸収コア
１０ａ、２０ａ、３０ａ    前端
１０ｃ、２０ｃ        凸部
１００、２００、３００    液体透過最上層
１０１、２０１、３０１    薄膜
１１、２１、３１        臀部後ろ領域
１２、２２、３２        股下領域
１３、２３、３３        前腹領域
１３ｓａ、１３ｓｂ、１３ｓｃ、１３ｓｄ、１３ｓｅ 、２３ｓａ、２３ｓｂ、２３ｓｃ、２３ｓｄ、２３ｓｅ、３３ｓ    破断線
１３０ａ、１３０ｂ、１３０ｃ、１３０ｄ、１３０ｅ、２３０ａ、２３０ｂ、２３０ｃ、２３０ｄ、２３０ｅ、３３０    開口
１３ａｗ、１３ｂｗ    皺襞
１４、２４、３４        漏れ防止ギャザー部
１５、２５、３５        弾性部材
１６、２６、３６        後ろピックアップ部
１６１、２６１、３６１    固定テープ
１７、３７、１９、３９    開孔
１８、２８、３８        前ピックアップ部
２０２            不織布表層
Ｐ                カバーパンツ
Ｐ５                後ろ片体
Ｐ５０            後ろウエスト部
Ｐ５１            後ろ臀部
Ｐ５２            股下部
Ｐ５２Ｈ            上延部
Ｐ５３            固定ベルト部
Ｐ５４            オープン部
Ｐ５５            後ろウイング部
Ｐ５５１            延伸部
Ｐ５６            伸縮部
Ｐ５７            腿周りギャザー辺
Ｐ６                前片体
Ｐ６０            前ウエスト部
Ｐ６１            前腹部
Ｐ６２            下延部
Ｐ６２１            ダーツ
Ｐ６５            後ろウイング部
Ｖ１                第１ファスナー部材
Ｖ２                第２ファスナー部材
Ｖ３                第３ファスナー部材
Ｖ１１、Ｖ２１、Ｖ３１    オス部
Ｖ１２、Ｖ２２、Ｖ３２    メス部
Ｖ３３            分離部
Ｕ１                後ろ固定ユニット
Ｕ２                前固定ユニット
Ｕ１１、Ｕ２１        オス部
Ｕ１２、Ｕ２２        メス部
Ｕ４０、Ｕ５０        連接座部
Ｕ４００、Ｕ５００    凹部
Ｋ１、Ｋ２、Ｋ３        位置決め部材
Ｋ１１            ボタン
Ｋ１２            ボタンホール
Ｋ２１            フック
Ｋ２２            ループ
Ｋ３１            ベルト
Ｋ３２            バックル
ＫＤ                位置決め部材
ＫＤ１            ボタン
ＫＤ２            ボタンホール
Ｙ面                ファスナーオス部
Ｍ                男性
Ｗ                女性
Ｓ                導尿用カテーテル
Ｔ                コンドームカテーテル
Ｑ１                陰嚢
Ｑ２                陰茎
Ｑ１１            後方根部
【図１Ａ】
2020168347.tif 000003
【図１Ａａ】
2020168347.tif 000004
【図１Ｂ】
2020168347.tif 000005
【図１Ｃ】
2020168347.tif 000006
【図１Ｄ】
2020168347.tif 000007
【図１Ｅ】
2020168347.tif 000008
【図２Ａ】
2020168347.tif 000009
【図２Ａａ】
2020168347.tif 000010
【図２Ｂ】
2020168347.tif 000011
【図２Ｃ】
2020168347.tif 000012
【図２Ｄ】
2020168347.tif 000013
【図２Ｅ】
2020168347.tif 000014
【図３Ａ】
2020168347.tif 000015
【図３Ａａ】
2020168347.tif 000016
【図４Ａ】
2020168347.tif 000017
【図４Ｂ】
2020168347.tif 000018
【図５】
2020168347.tif 000019
【図６】
2020168347.tif 000020
【図７】
2020168347.tif 000021
【図８】
2020168347.tif 000022
【図９】
2020168347.tif 000023
【図１０】
2020168347.tif 000024
【図１１Ａ】
2020168347.tif 000025
【図１１Ｂ】
2020168347.tif 000026
【図１１Ｃ】
2020168347.tif 000027
【図１２Ａ】
2020168347.tif 000028
【図１２Ｂ】
2020168347.tif 000029
【図１３Ａ】
2020168347.tif 000030
【図１３Ｂ】
2020168347.tif 000031
【図１４Ａ】
2020168347.tif 000032
【図１４Ｂ】
2020168347.tif 000033
【図１５】
2020168347.tif 000034
【図１６Ａ】
2020168347.tif 000035
【図１６Ｂ】
2020168347.tif 000036
【図１７】
2020168347.tif 000037
【図１８】
2020168347.tif 000038
【図１９】
2020168347.tif 000039
【図２０】
2020168347.tif 000040